(57)【要約】【課題】立体的な視覚効果を創出し得る照明装置を提供する。【解決手段】照明システム１０は、第１方向に配列され且つ各々が第２方向に延びている複数の単位反射面を含む反射面を有した反射シート２０と、その長手方向が第１方向と非平行となるようにして配置された光源４０と、を有する。各単位反射面は、反射面角度θγが、第１方向における一側から他側へ向けて漸次大きくなるように変化する、又は、第１方向における前記一側から前記他側へ向けて漸次小さくなるように変化する反射部２３を含む。ここで、反射面角度は、主切断面において、単位反射面へ直交する方向が反射シートの法線方向に対してなす角度である。【選択図】図１
2015222706.tif 000002
【特許請求の範囲】
【請求項１】
第１方向に配列され且つ各々が前記第１方向と交差する第２方向に延びている複数の単位反射面を含む反射面を有した反射シートと、
その長手方向が前記第１方向と非平行となるようにして配置された光源と、を備え、
各単位反射面は、反射面角度が、前記第１方向における一側から他側へ向けて漸次大きくなるように変化する、又は、前記第１方向における前記一側から前記他側へ向けて漸次小さくなるように変化する反射部を含み、
ここで、前記反射面角度は、前記第１方向および前記反射シートの法線方向の両方向に平行な主切断面において、前記単位反射面へ直交する方向が前記反射シートの法線方向に対してなす角度であり、前記主切断面において前記単位反射面へ直交する方向が前記反射シートの法線方向に対して前記第１方向における前記一側へ傾斜した際を正の角度値としている、照明システム。
【請求項２】
前記反射部の前記反射面角度は、少なくとも０°以上４０°以下の範囲を含む角度範囲内で、前記第１方向における一側から他側へ向けて漸次大きくなるように変化する、又は、少なくとも０°以上４０°以下の範囲を含む角度範囲内で、前記第１方向における前記一側から前記他側へ向けて漸次小さくなるように変化する、請求項１に記載の照明システム。
【請求項３】
前記光源は、前記複数の単位反射面に対して前記第１方向における前記一側に配置されている、請求項２に記載の照明システム。
【請求項４】
前記主切断面において、或る一つの単位反射面の前記反射面角度が４０°となる位置を通過し且つ前記反射シートの法線方向に対して前記第１方向における一側に８０°傾斜した方向に延びる仮想直線は、その他の位置において前記反射面と交差しない、請求項２または３に記載の照明システム。
【請求項５】
前記主切断面において、或る一つの単位反射面の前記反射面角度が０°となる位置を通過し且つ前記反射面シートの法線方向に対して前記第１方向における一側に５０°傾斜した方向に延びる仮想直線は、その他の位置において前記反射面と交差しない、請求項２〜４のいずれか一項に記載の照明システム。
【請求項６】
各単位反射面は、
前記反射面角度が、少なくとも０°以上４０°以下の範囲を含む角度範囲内で、前記第１方向における一側から他側へ向けて漸次大きくなるように変化する、又は、少なくとも０°以上４０°以下の範囲を含む角度範囲内で、前記第１方向における前記一側から前記他側へ向けて漸次小さくなるように変化する第１反射部と、
前記反射面角度が、少なくとも−４０°以上０°以下の範囲を含む角度範囲内で、前記第１方向における一側から他側へ向けて漸次大きくなるように変化する、又は、少なくとも−４０°以上０°以下の範囲を含む角度範囲内で、前記第１方向における前記一側から前記他側へ向けて漸次小さくなるように変化する第２反射部と、
を含む、請求項１に記載の照明システム。
【請求項７】
前記光源は、前記複数の単位反射面に対して前記第１方向における前記一側に配置された第１の光源と、前記複数の単位反射面に対して前記第１方向における前記他側に配置された第２の光源と、を含む、請求項６に記載の照明システム。
【請求項８】
前記主切断面において、或る一つの単位反射面の前記第１反射部の前記反射面角度が４０°となる位置を通過し且つ前記反射面シートの法線方向に対して前記第１方向における一側に８０°傾斜した方向に延びる仮想直線は、その他の位置において前記反射面と交差せず、
前記主切断面において、或る一つの単位反射面の前記第２反射部の前記反射面角度が−４０°となる位置を通過し且つ前記反射面シートの法線方向に対して前記第１方向における他側に８０°傾斜した方向に延びる仮想直線は、その他の位置において前記反射面と交差しない、請求項６または７に記載の照明システム。
【請求項９】
前記主切断面において、或る一つの単位反射面の前記第１反射部の前記反射面角度が０°となる位置を通過し且つ前記反射面シートの法線方向に対して前記第１方向における一側に５０°傾斜した方向に延びる仮想直線は、その他の位置において前記反射面と交差せず、
前記主切断面において、或る一つの単位反射面の前記第２反射部の前記反射面角度が０°となる位置を通過し且つ前記反射面シートの法線方向に対して前記第１方向における他側に５０°傾斜した方向に延びる仮想直線は、その他の位置において前記反射面と交差しない、請求項６〜８のいずれか一項に記載の照明システム。
【請求項１０】
前記反射面は、前記光源からの光に対して前記反射シートの入射面をなす、請求項２〜９のいずれか一項に記載の照明システム。
【請求項１１】
前記反射部の前記反射面角度は、少なくとも０°以上２０°以下の範囲を含む角度範囲内で、前記第１方向における一側から他側へ向けて漸次大きくなるように変化する、又は、少なくとも０°以上２０°以下の範囲を含む角度範囲内で、前記第１方向における前記一側から前記他側へ向けて漸次小さくなるように変化する、請求項１に記載の照明システム。
【請求項１２】
前記光源は、前記複数の単位反射面に対して前記第１方向における前記一側に配置されている、請求項１１に記載の照明システム。
【請求項１３】
前記主切断面において、或る一つの単位反射面の前記反射面角度が２０°となる位置を通過し且つ前記反射シートの法線方向に対して前記第１方向における一側に４１°傾斜した方向に延びる仮想直線は、その他の位置において前記反射面と交差しない、請求項１１または１２に記載の照明システム。
【請求項１４】
前記主切断面において、或る一つの単位反射面の前記反射面角度が０°となる位置を通過し且つ前記反射面シートの法線方向に対して前記第１方向における一側に３１°傾斜した方向に延びる仮想直線は、その他の位置において前記反射面と交差しない、請求項１１〜１３のいずれか一項に記載の照明システム。
【請求項１５】
各単位反射面は、
前記反射面角度が、少なくとも０°以上２０°以下の範囲を含む角度範囲内で、前記第１方向における一側から他側へ向けて漸次大きくなるように変化する、又は、少なくとも０°以上２０°以下の範囲を含む角度範囲内で、前記第１方向における前記一側から前記他側へ向けて漸次小さくなるように変化する第１反射部と、
前記反射面角度が、少なくとも−２０°以上０°以下の範囲を含む角度範囲内で、前記第１方向における一側から他側へ向けて漸次大きくなるように変化する、又は、少なくとも−２０°以上０°以下の範囲を含む角度範囲内で、前記第１方向における前記一側から前記他側へ向けて漸次小さくなるように変化する第２反射部と、
を含む、請求項１に記載の照明システム。
【請求項１６】
前記光源は、前記複数の単位反射面に対して前記第１方向における前記一側に配置された第１の光源と、前記複数の単位反射面に対して前記第１方向における前記他側に配置された第２の光源と、を含む、請求項１５に記載の照明システム。
【請求項１７】
前記主切断面において、或る一つの単位反射面の前記第１反射部の前記反射面角度が２０°となる位置を通過し且つ前記反射面シートの法線方向に対して前記第１方向における一側に４１°傾斜した方向に延びる仮想直線は、その他の位置において前記反射面と交差せず、
前記主切断面において、或る一つの単位反射面の前記第２反射部の前記反射面角度が−２０°となる位置を通過し且つ前記反射面シートの法線方向に対して前記第１方向における他側に４１°傾斜した方向に延びる仮想直線は、その他の位置において前記反射面と交差しない、請求項１５または１６に記載の照明システム。
【請求項１８】
前記主切断面において、或る一つの単位反射面の前記第１反射部の前記反射面角度が０°となる位置を通過し且つ前記反射面シートの法線方向に対して前記第１方向における一側に３１°傾斜した方向に延びる仮想直線は、その他の位置において前記反射面と交差せず、
前記主切断面において、或る一つの単位反射面の前記第２反射部の前記反射面角度が０°となる位置を通過し且つ前記反射面シートの法線方向に対して前記第１方向における他側に３１°傾斜した方向に延びる仮想直線は、その他の位置において前記反射面と交差しない、請求項１５〜１７のいずれか一項に記載の照明システム。
【請求項１９】
前記反射シートは、前記反射面を覆う透明層を有し、
前記透明層は、前記光源からの光に対して前記反射シートの入射面をなす、請求項１１〜１８のいずれか一項に記載の照明システム。
【請求項２０】
前記第１方向に隣り合う二つの単位反射面の間に、接続面が設けられており、
前記接続面での正反射率は、前記単位反射面での正反射率よりも低い、請求項１〜１９のいずれか一項に記載の照明システム。
【請求項２１】
前記接続面は、凹凸面として形成されている、請求項２０に記載の照明システム。
【請求項２２】
前記第１方向に隣り合う二つの単位反射面の間に、接続面が設けられており、
前記接続面での吸収率は、前記単位反射面での吸収率よりも高い、請求項１〜１９のいずれか一項に記載の照明システム。
【請求項２３】
前記第１方向に隣り合う二つの単位反射面の間に、接続面が設けられており、
前記接続面は、パターニングされている、請求項１〜１９のいずれか一項に記載の照明システム。
【請求項２４】
第１方向に配列され且つ各々が前記第１方向と交差する第２方向に延びている複数の単位反射面を含む反射面を備え、
各単位反射面は、反射面角度が、前記第１方向における一側から他側へ向けて漸次大きくなるように変化する、又は、前記第１方向における前記一側から前記他側へ向けて漸次小さくなるように変化する反射部を含み、
ここで、前記反射面角度は、前記第１方向および前記反射シートの法線方向の両方向に平行な主切断面において、前記単位反射面へ直交する方向が前記反射シートの法線方向に対してなす角度であり、前記主切断面において前記単位反射面へ直交する方向が前記反射シートの法線方向に対して前記第１方向における前記一側へ傾斜した際を正の角度値としている、反射シート。
【発明の詳細な説明】
【技術分野】
【０００１】
本発明は、反射機能を有した反射シート、並びに、この反射シートを利用した照明システムに関する。
【背景技術】
【０００２】
例えば、特許文献１に開示されているように、間接照明を利用した照明が普及している。間接照明では、天井、壁、床等に対して特定の位置関係で設置された光源から光を射出し、その反射光により、屋内を照明する。間接照明では、光源から光を直接照射される部材や部位に濃淡や立体構造を設けることがある。この場合、特殊な視覚パターンを発生させて、意匠性、例えばやすらぎ感や高級感などを創出することが可能となる。
【先行技術文献】
【特許文献】
【０００３】
【特許文献１】特開２０１３−１０１８５９
【発明の概要】
【発明が解決しようとする課題】
【０００４】
ただし、従来の照明システムによって創出される視覚効果は平面的な効果に過ぎず、意外性や意匠性において十分とは言えなかった。その一方で、本件発明者らは、鋭意検討を重ねた結果として、特定の構成を有した反射シートに対して、当該反射シートに対して所定の位置関係で配置された光源から、光を照射した場合に、錯視による立体的な視覚効果を創出し得ることを見出した。本件発明は、このような知見に基づくものであり、立体的な視覚効果を創出し得る照明装置、並びに、この照明システムに用いられる反射シートを提供することを目的とする。
【課題を解決するための手段】
【０００５】
本発明による照明システムは、
第１方向に配列され且つ各々が前記第１方向と交差する第２方向に延びている複数の単位反射面を含む反射面を有した反射シートと、
その長手方向が前記第１方向と非平行となるようにして配置された光源と、を備え、
各単位反射面は、反射面角度が、前記第１方向における一側から他側へ向けて漸次大きくなるように変化する、又は、前記第１方向における前記一側から前記他側へ向けて漸次小さくなるように変化する反射部を含み、
ここで、前記反射面角度は、前記第１方向および前記反射シートの法線方向の両方向に平行な主切断面において、前記単位反射面へ直交する方向が前記反射シートの法線方向に対してなす角度であり、前記主切断面において前記単位反射面へ直交する方向が前記反射シートの法線方向に対して前記第１方向における前記一側へ傾斜した際を正の角度値としている。
【０００６】
本発明による照明システムにおいて、前記反射部の前記反射面角度は、少なくとも０°以上４０°以下の範囲を含む角度範囲内で、前記第１方向における一側から他側へ向けて漸次大きくなるように変化する、又は、少なくとも０°以上４０°以下の範囲を含む角度範囲内で、前記第１方向における前記一側から前記他側へ向けて漸次小さくなるように変化してもよい。
【０００７】
本発明による照明システムにおいて、前記光源は、前記複数の単位反射面に対して前記第１方向における前記一側に配置されていてもよい。
【０００８】
本発明による照明システムにおいて、前記主切断面において、或る一つの単位反射面の前記反射面角度が４０°となる位置を通過し且つ前記反射シートの法線方向に対して前記第１方向における一側に８０°傾斜した方向に延びる仮想直線は、その他の位置において前記反射面と交差しないようにしてもよい。
【０００９】
本発明による照明システムにおいて、前記主切断面において、或る一つの単位反射面の前記反射面角度が０°となる位置を通過し且つ前記反射面シートの法線方向に対して前記第１方向における一側に５０°傾斜した方向に延びる仮想直線は、その他の位置において前記反射面と交差しないようにしてもよい。
【００１０】
本発明による照明システムにおいて、
各単位反射面は、
前記反射面角度が、少なくとも０°以上４０°以下の範囲を含む角度範囲内で、前記第１方向における一側から他側へ向けて漸次大きくなるように変化する、又は、少なくとも０°以上４０°以下の範囲を含む角度範囲内で、前記第１方向における前記一側から前記他側へ向けて漸次小さくなるように変化する第１反射部と、
前記反射面角度が、少なくとも−４０°以上０°以下の範囲を含む角度範囲内で、前記第１方向における一側から他側へ向けて漸次大きくなるように変化する、又は、少なくとも−４０°以上０°以下の範囲を含む角度範囲内で、前記第１方向における前記一側から前記他側へ向けて漸次小さくなるように変化する第２反射部と、
を含むようにしてもよい。
【００１１】
本発明による照明システムにおいて、前記光源は、前記複数の単位反射面に対して前記第１方向における前記一側に配置された第１の光源と、前記複数の単位反射面に対して前記第１方向における前記他側に配置された第２の光源と、を含むようにしてもよい。
【００１２】
本発明による照明システムにおいて、
前記主切断面において、或る一つの単位反射面の前記第１反射部の前記反射面角度が４０°となる位置を通過し且つ前記反射面シートの法線方向に対して前記第１方向における一側に８０°傾斜した方向に延びる仮想直線は、その他の位置において前記反射面と交差せず、
前記主切断面において、或る一つの単位反射面の前記第２反射部の前記反射面角度が−４０°となる位置を通過し且つ前記反射面シートの法線方向に対して前記第１方向における他側に８０°傾斜した方向に延びる仮想直線は、その他の位置において前記反射面と交差しないようにしてもよい。
【００１３】
本発明による照明システムにおいて、
前記主切断面において、或る一つの単位反射面の前記第１反射部の前記反射面角度が０°となる位置を通過し且つ前記反射面シートの法線方向に対して前記第１方向における一側に５０°傾斜した方向に延びる仮想直線は、その他の位置において前記反射面と交差せず、
前記主切断面において、或る一つの単位反射面の前記第２反射部の前記反射面角度が０°となる位置を通過し且つ前記反射面シートの法線方向に対して前記第１方向における他側に５０°傾斜した方向に延びる仮想直線は、その他の位置において前記反射面と交差しないようにしてもよい。
【００１４】
本発明による照明システムにおいて、前記反射面は、前記光源からの光に対して前記反射シートの入射面をなすようにしてもよい。
【００１５】
本発明による照明システムにおいて、前記反射部の前記反射面角度は、少なくとも０°以上２０°以下の範囲を含む角度範囲内で、前記第１方向における一側から他側へ向けて漸次大きくなるように変化する、又は、少なくとも０°以上２０°以下の範囲を含む角度範囲内で、前記第１方向における前記一側から前記他側へ向けて漸次小さくなるように変化してもよい。
【００１６】
本発明による照明システムにおいて、前記光源は、前記複数の単位反射面に対して前記第１方向における前記一側に配置されていてもよい。
【００１７】
本発明による照明システムにおいて、前記主切断面において、或る一つの単位反射面の前記反射面角度が２０°となる位置を通過し且つ前記反射シートの法線方向に対して前記第１方向における一側に４１°傾斜した方向に延びる仮想直線は、その他の位置において前記反射面と交差しないようにしてもよい。
【００１８】
本発明による照明システムにおいて、前記主切断面において、或る一つの単位反射面の前記反射面角度が０°となる位置を通過し且つ前記反射面シートの法線方向に対して前記第１方向における一側に３１°傾斜した方向に延びる仮想直線は、その他の位置において前記反射面と交差しないようにしてもよい。
【００１９】
本発明による照明システムにおいて、
各単位反射面は、
前記反射面角度が、少なくとも０°以上２０°以下の範囲を含む角度範囲内で、前記第１方向における一側から他側へ向けて漸次大きくなるように変化する、又は、少なくとも０°以上２０°以下の範囲を含む角度範囲内で、前記第１方向における前記一側から前記他側へ向けて漸次小さくなるように変化する第１反射部と、
前記反射面角度が、少なくとも−２０°以上０°以下の範囲を含む角度範囲内で、前記第１方向における一側から他側へ向けて漸次大きくなるように変化する、又は、少なくとも−２０°以上０°以下の範囲を含む角度範囲内で、前記第１方向における前記一側から前記他側へ向けて漸次小さくなるように変化する第２反射部と、
を含むようにしてもよい。
【００２０】
本発明による照明システムにおいて、前記光源は、前記複数の単位反射面に対して前記第１方向における前記一側に配置された第１の光源と、前記複数の単位反射面に対して前記第１方向における前記他側に配置された第２の光源と、を含むようにしてもよい。
【００２１】
本発明による照明システムにおいて、
前記主切断面において、或る一つの単位反射面の前記第１反射部の前記反射面角度が２０°となる位置を通過し且つ前記反射面シートの法線方向に対して前記第１方向における一側に４１°傾斜した方向に延びる仮想直線は、その他の位置において前記反射面と交差せず、
前記主切断面において、或る一つの単位反射面の前記第２反射部の前記反射面角度が−２０°となる位置を通過し且つ前記反射面シートの法線方向に対して前記第１方向における他側に４１°傾斜した方向に延びる仮想直線は、その他の位置において前記反射面と交差しないようにしてもよい。
【００２２】
本発明による照明システムにおいて、
前記主切断面において、或る一つの単位反射面の前記第１反射部の前記反射面角度が０°となる位置を通過し且つ前記反射面シートの法線方向に対して前記第１方向における一側に３１°傾斜した方向に延びる仮想直線は、その他の位置において前記反射面と交差せず、
前記主切断面において、或る一つの単位反射面の前記第２反射部の前記反射面角度が０°となる位置を通過し且つ前記反射面シートの法線方向に対して前記第１方向における他側に３１°傾斜した方向に延びる仮想直線は、その他の位置において前記反射面と交差しないようにしてもよい。
【００２３】
本発明による照明システムにおいて、
前記反射シートは、前記反射面を覆う透明層を有し、
前記透明層は、前記光源からの光に対して前記反射シートの入射面をなすようにしてもよい。
【００２４】
本発明による照明システムにおいて、
前記第１方向に隣り合う二つの単位反射面の間に、接続面が設けられており、
前記接続面での正反射率は、前記単位反射面での正反射率よりも低くなっていてもよい。
【００２５】
本発明による照明システムにおいて、前記接続面は、凹凸面として形成されていてもよい。
【００２６】
本発明による照明システムにおいて、
前記第１方向に隣り合う二つの単位反射面の間に、接続面が設けられており、
前記接続面での吸収率は、前記単位反射面での吸収率よりも高くなっていてもよい。
【００２７】
本発明による照明システムにおいて、
前記第１方向に隣り合う二つの単位反射面の間に、接続面が設けられており、
前記接続面は、パターニングされていてもよい。
【００２８】
本発明による反射シートは、
第１方向に配列され且つ各々が前記第１方向と交差する第２方向に延びている複数の単位反射面を含む反射面を備え、
各単位反射面は、反射面角度が、前記第１方向における一側から他側へ向けて漸次大きくなるように変化する、又は、前記第１方向における前記一側から前記他側へ向けて漸次小さくなるように変化する反射部を含み、
ここで、前記反射面角度は、前記第１方向および前記反射シートの法線方向の両方向に平行な主切断面において、前記単位反射面へ直交する方向が前記反射シートの法線方向に対してなす角度であり、前記主切断面において前記単位反射面へ直交する方向が前記反射シートの法線方向に対して前記第１方向における前記一側へ傾斜した際を正の角度値としている。
【発明の効果】
【００２９】
本発明によれば、立体的な視覚効果を創出することができる。
【図面の簡単な説明】
【００３０】
【図１】図１は、本発明の一実施の形態を説明するための図であって、照明システムを示す斜視図である。
【図２】図２は、図１の照明システムに組み込まれ得る反射シートの一例を主切断面にて示す断面図である。
【図３】図３は、照明装置の作用を説明するための図であって、反射シートの主切断面と平行な面に光路を投影して照明システムを示す図である。
【図４】図４は、図３と同様の面にて照明システムを示す図であって、角度の設定方法を説明するための図である。
【図５】図５は、反射シートへの入射角度θαと、反射シートからの出射角度θβと、の関係を示すグラフである。
【図６】図６は、反射シートからの出射角度θβと、反射シートへ入射した光を観察点に反射する反射面の反射面角度θγと、の関係を示すグラフである。
【図７】図７は、図２と同様の断面にて反射シートを示す図であって、図４の各位置へ光源の鏡像を形成することになる反射シートの反射面の位置および当該位置への入射方向を示す図である。
【図８】図８は、図２に対応する図であって、反射シートの一変形例を示す図である。
【図９】図９は、図２に対応する図であって、反射シートの他の変形例を示す図である。
【図１０】図１０は、図７に対応する図であって、反射シートのさらに他の変形例を示す図である。
【図１１】図１１は、図７に対応する図であって、反射シートのさらに他の変形例を示す図である。
【図１２】図１２は、図７に対応する図であって、反射シートのさらに他の変形例を示す図である。
【図１３】図１３は、図２に対応する図であって、反射シートのさらに他の変形例を示す図である。
【図１４】図１４は、図６に対応する図であって、反射シートからの出射角度θβと、反射シートへ入射した光を観察点に反射する反射面の反射面角度θγと、の関係を示すグラフである。
【図１５】図１５は、図７に対応する図であって、反射シートのさらに他の変形例を示す図である。
【図１６】図１６は、図７に対応する図であって、反射シートのさらに他の変形例を示す図である。
【図１７】図１７は、図１に対応する図であって、照明システムの一変形例を示す図である。
【図１８】図１８は、図２に対応する図であって、反射シートのさらに他の変形例を示す図である。
【図１９】図１９は、図１に対応する図であって、図１８の反射シートを用いた照明システムを示す図である。
【図２０】図２０は、図１に対応する図であって、照明システムのさらに他の変形例を示す図である。
【発明を実施するための形態】
【００３１】
以下、図面を参照して本発明の一実施の形態について説明する。なお、本明細書に添付する図面においては、図示と理解のしやすさの便宜上、適宜縮尺および縦横の寸法比等を、実物のそれらから変更し誇張してある。
【００３２】
なお、本明細書において、「シート」、「板」、「パネル」、「フィルム」等の用語は、呼称の違いのみに基づいて、互いから区別されるものではない。例えば、「反射シート」は板、パネル、フィルム等と呼ばれ得るような部材も含む概念であり、したがって、「反射シート」は、「反射板」、「反射パネル」、「反射フィルム」と呼ばれる部材と呼称の違いのみにおいて区別され得ない。
【００３３】
また、「シート面（板面、パネル面、フィルム面）」とは、対象となるシート状（板状、パネル状、フィルム状）の部材を全体的かつ大局的に見た場合において対象となるシート状部材（板状部材、パネル状部材、フィルム状部材）の平面方向と一致する面のことを指す。以下に説明する一実施の形態においては、反射シートのシート面、反射シートの後述する本体シートのシート面、および、本体シートの後述する本体部のシート面は、平行となっている。また、シート状（板状、パネル状、フィルム状）の部材に対する法線方向とは、当該シート状部材（板状部材、パネル状部材、フィルム状部材）のシート面（板面、パネル面、フィルム面）への法線方向のことである。
【００３４】
さらに、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００３５】
図１に示すように、照明システム１０は、光源４０と、光源４０からの光を受ける反射シート２０と、を有している。図１及び図２に示すように、反射シート２０は、光源４０からの光を反射する反射面２１を有している。反射面２１は、第１方向ｄ１に配列された多数の単位反射面２２から形成されている。各単位反射面２２は、第１方向ｄ１と非平行な第２方向ｄ２に線状に延びている。反射シート２０は、光源４０から射出される光を受け、当該光を反射面２１によって異方性拡散反射させる。より具体的には、反射シート２０は、第２方向ｄ２よりも第１方向ｄ１へ強い拡散性を示すようになっている。一方、光源４０は、長手方向ｄｌを有しており、当該長手方向ｄｌが第１方向ｄ１と非平行となるように反射シート２０に対して位置決めされている。
【００３６】
ここで説明する照明システム１０では、反射シート２０が、当該反射シート２０から離間した面ｖｐ上の各位置に、光源４０の各部位の鏡像を形成する。発光点の鏡像からなる面ｖｐは、錯視により、発光面として知覚されるようになる。
【００３７】
図１に示された例において、照明システム１０は、天井９１、壁９２および床９３によって区画された室内に配置されている。反射シート２０は、天井９１の一部または全部を形成している。また、反射シート２０は、その法線方向が鉛直方向に沿うように、位置決めされている。一方、光源４０は、第１方向ｄ１における一側に配置された第１光源４０ａと、第１光源４０ａに対向して第１方向ｄ１における他側に配置された第２光源４０ｂと、を有している。各光源４０ａ，４０ｂは、第１方向ｄ１における両側から天井９１に接続する一対の壁９２にそれぞれ設置されている。光源４０は、反射シート２０の法線方向に沿って当該反射シート２０から離間して配置されている。言い換えると、光源４０は、鉛直方向に沿って反射シート２０よりも下方に位置している。このため、図１に示された例では、二点鎖線で示すように、反射シート２０の各位置で反射された光源４０の鏡像群は、天井より上方に位置する。そして、光源４０の鏡像群からなる疑似の発光面ｖｐは、錯視により、疑似の天井として知覚されるようになる。以下、反射シート２０および光源４０について更に詳細に説明する。そしてその後に、照明システム１０の作用について更に詳細に説明する。
【００３８】
まず、反射シート２０について説明する。反射シート２０は、異方性拡散反射機能を発揮し得るシート状の部材である。上述したように、反射シート２０は、第１方向ｄ１に配列された多数の単位反射面２２を含む反射面２１を有している。各単位反射面２２は、第１方向ｄ１と非平行な第２方向ｄ２に線状に延びている。そして、各単位反射面２２は、その反射面角度θγが、第１方向ｄ１における一側から他側に向けて漸次大きくなるように変化する、或いは、第１方向ｄ１における一側から他側に向けて漸次小さくなるように変化する反射部２３を有している。その一方で、単位反射面２２は、第２方向ｄ２に沿って略一定の構成を有している。このような単位反射面２２に起因して、反射シート２０は、第２方向ｄ２よりも第１方向ｄ１へ強い拡散性を示すようになっている。
【００３９】
ところで、反射面角度θγとは、第１方向ｄ１及び反射シート２０の法線方向ｎｄの両方向に平行となる図２に示された主切断面において、単位反射面２２へ直交する方向ｄγが反射シート２０の法線方向ｎｄに対してなす角度θγのことである。ここで、単位反射面２２へ直交する方向ｄγとは、主切断面において、単位反射面２２への接線ｔｐγに対して直交する方向のことである。また、反射面角度θγの値は、主切断面において、単位反射面２２へ直交する方向ｄγが反射シート２０の法線方向ｎｄに対して第１方向ｄ１における一側へ傾斜する場合に、正の角度値とする。ここで、単位反射面２２へ直交する方向ｄγが反射シート２０の法線方向ｎｄに対して傾斜する側は、反射シート２０の法線方向ｎｄに沿って当該反射面２１に対して光源４０からの光が入射する側、言い換えると、当該反射面２１で反射された反射光が進む側において、単位反射面２１へ直交する方向ｄγと反射シート２０の法線方向ｎｄとを対比する。
【００４０】
なお、図示された一実施の形態及びその変形例を示す図１〜図４、図７〜図１３、図１５〜図２０において、第１方向ｄ１における一側とは、図面において左右に延びる第１方向ｄ１における右側のことを指し、第１方向ｄ１における他側とは、図面において左右に延びる第１方向ｄ１における左側のことを指すものとする。
【００４１】
また、反射面角度θγだけでなく後述する外面角度θδも含めて、角度が「漸次大きくなるように変化する」とは、図２に示された反射面角度θγのように角度が常に大きく変化し続けることだけではなく、少なくとも一部の領域において角度が変化しない場合も含む概念である。その一方で、「漸次大きくなるように変化する」反射面角度θγは、小さくなるように変化することはない。同様に、反射面角度θγだけでなく後述する外面角度θδも含めて、角度が「漸次小さくなるように変化する」とは、図２に示された反射面角度θγのように角度が常に小さく変化し続けることだけではなく、少なくとも一部の領域において角度が変化しない場合も含む概念である。その一方で、「漸次小さくなるように変化する」反射面角度θγは、大きくなるように変化することはない。したがって、図２に示された曲面状の単位反射面だけでなく、折れ面状の単位反射面も、反射面角度θγが「漸次大きくなるように変化する」又は「漸次小さくなるように変化する」と表現され得る。
【００４２】
図示された実施の形態においては、各単位反射面２２は、反射面角度θγが正の角度値をとる第１反射部２３ａと、反射面角度θγが負の角度値をとる第２反射部２３ｂと、を含んでいる。図２に示すように、単位反射面２２は、主切断面において、反射シート２０の法線方向ｎｄに沿った室内側、すなわち反射シート２０の法線方向ｎｄに沿って光源４０が位置している側に、凸状に膨出している。図２に示すように、第１反射部２３ａは、第１方向ｄ１に沿って、第２反射部２３ｂの一側に位置している。単位反射面２２は、第１反射部２３ａおよび第２反射部２３ｂのみによって形成されている。第１反射部２３ａと第２反射部２３ｂが接合する位置に、単位反射面２２の最も室内側に突出した先端部２２ａが形成されている。また、第１反射部２３ａの第２反射部２３ｂとは反対側の端部に、単位反射面２２の最も室内から離間する側をなす単位反射面２２の一側の基端部２２ｂが形成され、第２反射部２３ｂの第１反射部２３ａとは反対側の端部に、単位反射面２２の最も室内から離間する側をなす単位反射面２２の他側の基端部２２ｂが形成されている。また図示された例では、第１反射部２３ａの反射面角度θγが、第１方向ｄ１における一側から他側へ向けて漸次小さくなるように変化し、第２反射部２３ｂの反射面角度θγが、第１方向ｄ１における一側から他側へ向けて漸次小さくなるように変化している。
【００４３】
さらに、「第２方向ｄ２よりも第１方向ｄ１へ強い拡散性を示す」とは、次のようにして判断する。まず、反射シート２０の一方の面２０ａに、反射シート２０の法線方向に進む平行光束を照射する。そして、反射シート２０の一方の面上における輝度を測定する。そして、反射シート２０の法線方向および第１方向ｄ１の両方に沿った面内での輝度角度分布における半値角が、反射シート２０の法線方向および第２方向ｄ２の両方に沿った面内での輝度角度分布における半値角よりも大きい場合、第２方向ｄ２よりも第１方向ｄ１へ強い拡散性を示していると判断する。なお、反射シート２０の一方の面とは、照明システム１０において光源４０ａからの光を照射される側となる表面２０ａ、すなわち入射面とする。
【００４４】
図示された例において、反射シート２０は、単位要素３５を含む本体シート３０と、本体シート３０上に形成された反射層２５と、反射層２５の一部分を覆う機能層２８と、を有している。本体シート３０は、シート状の本体部３３と、本体部３３上に形成された多数の単位要素３５と、を含んでいる。図１から理解することができるように、複数の単位要素３５は、第１方向ｄ１に配列されており、各単位要素３５は、第１方向ｄ１と交差する方向に線状に延びている。各単位要素３５は、直線状に延びている。また、第１方向ｄ１に沿って隣り合う二つの単位要素３５は、第１方向ｄ１に離間して配置されている。すなわち、複数の単位要素３５は、第１方向ｄ１に間隔をあけて配置されている。図２に示すように、反射面２１の各単位反射面２２は、単位要素３５の外面３７を被覆する反射層２５の外表面によって形成されている。
【００４５】
図２は、反射シート２０の法線方向ｎｄと単位要素３５の配列方向である第１方向ｄ１との両方に平行となる断面にて、反射シート２０を示している。本明細書では、図２に示された断面を、主切断面と呼ぶ。図示された例において、主切断面における各単位要素３５の断面形状は、単位要素３５の長手方向である第２方向ｄ２に沿って一定となっている。また、本体シート３０に含まれる複数の単位要素３５は、全て同様に構成されている。
【００４６】
図２に示すように、図示された例において、主切断面における各単位要素３５の断面形状は、出光側に向けて先細りしていく形状となっている。つまり、主切断面において、反射シート２０のシート面と平行な単位要素３５の幅は、反射シート２０の法線方向ｎｄに沿って本体部３３から離間するにつれて小さくなっていく。
【００４７】
また、上述した単位反射面２２の形状を実現するため、図示された例において、単位要素３５の外面３７は、次のように形成されている。まず、各単位要素３５は、その外面角度θδが、第１方向ｄ１における一側から他側に向けて漸次大きくなるように変化する、或いは、第１方向ｄ１における一側から他側に向けて漸次小さくなるように変化する部分を有している。とりわけ、図示された例において、各単位要素３５は、外面角度θδが正の角度値をとる第１外面部３８ａと、外面角度θδが負の角度値をとる第２外面部３８ｂと、を含んでいる。
【００４８】
第１外面部３８ａと第２外面部３８ｂが接合する位置に、外面３７の最も室内側に突出した先端部３７ａが形成されている。また、第１外面部３８ａの第２外面部３８ｂとは反対側の端部に、外面３７の最も室内から離間する側をなす外面３７の一側の基端部３７ｂが形成され、第２外面部３８ｂの第１外面部３８ａとは反対側の端部に、外面３７の最も室内から離間する側をなす外面３７の他側の基端部３７ｂが形成されている。また図示された例では、第１外面部３８ａの外面角度θδが、第１方向ｄ１における一側から他側へ向けて漸次小さくなるように変化し、第２外面部３８ｂの外面角度θδが、第１方向ｄ１における一側から他側へ向けて漸次小さくなるように変化している。
【００４９】
なお、外面角度θδとは、図２に示すように、主切断面において、外面３７へ直交する方向ｄδが反射シート２０の法線方向ｎｄに対してなす角度θδのことである。ここで、外面３７へ直交する方向ｄδとは、外面３７への接線ｔｐδに対して直交する方向のことである。また、外面角度θδの値は、主切断面において単位反射面２１へ直交する方向ｄδが反射シート２０の法線方向ｎｄに対して第１方向ｄ１における一側へ傾斜する場合に、正の角度値とする。すなわち、外面角度θδの正負は、反射面角度θγと同様にして特定され得る。
【００５０】
さらに、主切断面において、単位要素３５の外輪郭は、円弧、楕円弧等の曲線および直線のいずれか、又は、これらの組み合わせによって近似され得る線として、構成されている。とりわけ図示された例においては、主切断面における単位要素３５の断面形状は、円の一部分に相当する形状を有している。すなわち、図示された例において、本体シート３０は、シリンドリカルレンズシート、言い換えるとレンチキュラーレンズシートとして形成されている。この結果、単位要素３５は、広い角度範囲に亘って連続的に変化する外面角度θδを持つことになる。
【００５１】
以上のような構成を有した本体シート３０は、一例として、押し出し成形により、あるいは、電離放射線硬化型樹脂、例えば紫外線硬化型樹脂からなる単位要素３５を基材上に賦型することにより、作製することができる。なお、単位要素３５の第１方向ｄ１への配列ピッチは、例えば、５０μｍ〜１ｃｍ程度とすることができる。本体シート３０を構成する樹脂は、無色でも有色でもよく、また、透明でも、半透明でも、不透明であってもよい。
【００５２】
次に、反射層２５及び機能層２８について説明する。
【００５３】
図示された例において、反射層２５は、本体シート３０の単位要素３５が設けられている側の面の全域を被覆するようにして、設けられている。一方、機能層２８は、反射層２５上のうちの、単位要素３５上に位置していない領域上に位置している。反射層２５の本体シート３０とは反対側を向く面が、反射面２１を形成している。一方、機能層２８の反射層２５とは反対側を向く面が、反射面２１の二つの単位反射面２２間に位置する接続面２４を形成している。図示された例において、反射シート２０の室内側を向く表面２０ａは、反射面２１の単位反射面２２と、接続面２４と、によって形成されている。
【００５４】
図２に示された例において、反射層２５は、本体シート３０の単位要素３５が設けられている側の面を略一定の厚さで延びている。同様に、機能層２８も、反射層２５の一部分上を略一定の厚さで延びている。結果として、反射層２５及び機能層２８によって画成される反射シート２０の最表面２０ａの外輪郭は、本体シート３０の単位要素３５が設けられている側の面の外輪郭と同様となる。
【００５５】
反射層２５は、それ自体が高い反射性を有した材料、例えば、銀、アルミニウム等の金属からなる薄膜として形成され得る。より具体的には、金属箔を転写することにより、または金属等の反射性材料を含んだインキを印刷することにより、反射層２５を形成することができる。また、真空蒸着法、スパッタリング法、イオンプレーティング法、ＣＶＤ法等の気相法(ドライプロセス)を用いて、例えば金属材料から反射層２５を形成することもできる。また、屈折率の異なる複数種類の誘電体を、上記気相法等で交互に積層することにより多層反射膜として形成することができる。
【００５６】
機能層２８は、何らかの機能を発現する層である。機能層２８によって形成される接続面２４は、錯視像の形成に寄与する面ではない。そして、接続面２４が、光源４０からの光を高反射率で鏡面反射する場合には、錯視像の視認性を悪化させることになる。したがって、典型的な例として、機能層２８は、光を拡散させる拡散層や、光を吸収する吸収層として機能することになる。拡散層として形成された機能層２８によれば、接続面２４での正反射率を、単位反射面２２での正反射率よりも低くすることができる。これにより、接続面２４への映り込みを効果的に防止することができる。また、吸収層として形成された機能層２８によれば、接続面２４での吸収率を、単位反射面２２での吸収射率よりも低くすることができる。機能層２８は、例えばインクジェット印刷によって、形成することができる。
【００５７】
なお、接続面２４と単位反射面２２との間での正反射率や吸収率の比較は、次のようにして実施することができる。まず、接続面２４及び単位反射面２２の同一の傾斜角度となっている部分のそれぞれに対し、同一方向から試験光を照射する。次に、試験光が正反射される方向から顕微鏡を介して前記部分の輝度を確認する。そして、輝度が高くなっている方が、正反射率がより高い、または、吸収率がより低いと評価される。逆に、輝度が低くなっている方が、正反射率がより低い、または、吸収率がより高いと評価される。
【００５８】
拡散層としては、表面に凹凸が形成されたマット層を用いることができる。マット層は、バインダー樹脂と、バインダー樹脂内に分散した粒子と、を有する層として形成される。例えば、バインダー樹脂の厚みを、粒子の粒径よりも小さくすることにより、マット層の表面が凹凸を有するようになる。吸収層としては、例えば黒色顔料を有した層を用いることができる。黒色顔料としては、カーボンブラックやチタンブラックを用いることができる。
【００５９】
次に、光源４０について説明する。図示された照明システム１０において、第１方向における一側に配置された第１の光源４０ａと、第１方向における他側に配置された第２の光源４０ｂと、が光源４０として設けられている。上述したように、各光源４０ａ，４０ｂは、長手方向ｄｌを有しており、当該長手方向ｄｌが第１方向ｄ１と非平行となるように反射シート２０に対して位置決めされている。そして各光源４０ａ，４０ｂは、少なくとも第２方向ｄ２に或る程度の長さだけ延びている。とりわけ図１に示す例では、光源４０ａ，４０ｂの長手方向ｄｌは、単位要素３５の長手方向ｄｌである第２方向ｄ２と平行となっている。
【００６０】
一対の壁９２にそれぞれ設けられた各光源４０ａ，４０ｂは、単一の発光体（言い換えると、発光部材）、或いは、一群をなす複数の発光体を有している。各光源４０ａ，４０ｂをなす発光体として、種々の既知な発光体、例えば冷陰極管、とりわけ配光方向を絞った冷陰極管を用いることもできる。また、複数の点状発光体、典型的には、線状に配列された複数の発光ダイオード（ＬＥＤ）を用いて各光源４０ａ，４０ｂが構成されていてもよい。
【００６１】
図１によく示されているように、この照明システム１０では、光源４０をなす発光体は、反射シート２０の法線方向に沿って反射シート２０から、室内側へずれた位置に配置されている。このため、光源４０をなす発光体で発光された指向性を持つ光は、反射シート２０の入光面２０ａに直接入射し得るようになっている。
【００６２】
また、この照明システム１０では、図１に示すように、各光源４０ａ，４０ｂをなす発光体が、第１方向ｄ１に沿った反射シート２０の縁部領域に対して、反射シート２０の法線方向に対面して位置している。より詳細には、一対の光源４０ａ，４０ｂは、それぞれ、第１方向ｄ１に対向する反射シート２０の一対の縁部から下方にずれた位置にそれぞれ配置されている。
【００６３】
ところで、主切断面と平行な面において、光源４０は、光を均一な光度で放射状に発光するのではなく、指向性を持って光を射出する。光源４０は、各方向に一様でない光度（単位：カンデラ）で光を放射し、特定の方向にピーク光度を持つ。そして、当該特定の方向に対する傾斜角度が大きくなるにつれて、光度の値はしだいに低下していく。好ましくは、このような光源４０の指向特性（配光特性、さらに言い換えると、光度の角度（方向）分布）を考慮して、光源４０の配置が決定される。具体的には、主切断面と平行な面内において、ピーク光度をもたらす上記特定の方向、すなわち、当該面上に位置する光源４０の発光部位から射出される光の光軸が、反射シート２０上の位置に向けて延びるように、より好ましくは、反射シート２０の第１方向ｄ１における中心またはその近傍に向けて延びるように、光源４０が配置される。
【００６４】
次に、このような照明システム１０の作用について説明する。
【００６５】
各光源４０は、主として反射シート２０に向けて光を投射する。反射シート２０は、第１方向ｄ１に配列された単位反射面２２を有している。そして、この単位反射面２２に起因して、反射シート２０は、その各位置に特定の方向から入射する光源４０からの光を、種々の方向に拡散させることができる。したがって、反射シート２０を観察する観察者は、反射シート２０の第１方向ｄ１における各位置で反射される光を種々の方向から観察することができる。
【００６６】
ここで図３には、主切断面と平行な一つの投影面に、照明システム１０を投影した図が示されている。図３では、照明システム１０のうちの、第１方向ｄ１における一側の領域が示されている。そして、図３では、第１方向ｄ１における一側に配置された第１光源４０ａから射出した光に対する反射シート２０での作用が示されている。図３に示すように、光源４０の発光位置Ｐｓから射出された光は、反射シート２０の各位置Ｐ１〜Ｐ５に設けられた単位反射面２２上の所定の反射面角度θγを有した位置にて反射され、観察者の目の位置Ｐｏに向けて進む。
【００６７】
このとき、位置Ｐｏに目が位置している観察者は、反射シート２０の位置Ｐ１で反射された光源４０ａの鏡像を位置Ｐｉ１に観察する。この鏡像の位置Ｐｉ１は、観察者の目の位置Ｐｏと反射位置Ｐ１とを結ぶ直線上に位置する。図３に示された面内において、反射位置Ｐ１と鏡像位置Ｐｉ１との距離ｌ１は、反射位置Ｐ１と光源位置Ｐｉｓとの距離ｌ１と等しくなる。また、光源４０ａの鏡像を位置Ｐｉ１に形成する単位要素３５上の反射層２５の部位は、図３において光源位置Ｐｓと鏡像位置Ｐｉ１とを結ぶ直線に直交する方向と平行な反射面となる。同様にして、位置Ｐｏに目が位置している観察者は、反射シート２０のその他の位置Ｐ２〜Ｐ５で反射された光源４０の鏡像をそれぞれ位置Ｐｉ２〜Ｐｉ５に観察する。なお、この図において、光源４０と鏡像位置Ｐｉ１〜Ｐｉ１は上記投影面上に位置するが、観察者の目の位置Ｐｏと反射位置Ｐ１〜Ｐ５は投影面上にはない。反射位置Ｐ１〜Ｐ５は投影面より手前に位置し、かつＰ１よりＰ５の方がより手前に位置する。また、観察者の目の位置Ｐｏはもっと手前に位置する。
【００６８】
ここで図４に示したように、入射角度θα及び反射角度θβを設定する。図４は、観察者の視点Ｐｏから見た透視図である。言い換えると、図４は、図３に対応する図であって、主切断面への投影図である。入射角度θαは、光源４０から反射シート２０へ入射する際における入射角度であり、反射角度θβは、反射シート２０で反射されて当該反射シート２０から進み出して観察者位置Ｐｏに向かう際における出射角度である。
【００６９】
より具体的には、入射角度θαは、図４の投影面において、入射光の進行方向が反射シート２０の法線方向ｎｄに対してなす角度である。入射角度θαは、上述した反射面角度θγと同様に、反射シート２０の法線方向ｎｄに沿って反射シート２０よりも光源４０側の領域において、入射光の進行方向と平行な方向が、反射シート２０の法線方向ｎｄに対して第１方向ｄ１における一側に傾斜する場合に、正の角度値とする。したがって、図示された実施の形態では、第１光源４０ａから反射シート２０の各位置に入射する光についての入射角度θαは、正の値をとり、第２光源４０ｂから反射シート２０の各位置に入射する光についての入射角度θαは、負の値をとることになる。一方、反射角度θβは、図４の投影面において、反射シート２０からの出射光の進行方向、すなわち反射シート２０での反射光の進行方向が、反射シート２０の法線方向ｎｄに対してなす角度である。反射角度θβは、入射角度θαとは逆で、反射シート２０の法線方向ｎｄに沿って反射シート２０よりも光源４０側の領域において、出射光の進行方向と平行な方向が、反射シート２０の法線方向ｎｄに対して第１方向ｄ１における他側に傾斜する場合に、正の角度値とする。
【００７０】
そして、図４に示すように、光源４０からの光が、反射シート２０の反射面角度θγとなっている反射面２１において反射されて、観察者視点位置Ｐｏに向かう場合、入射角度θα及び反射角度θβは、反射面角度θγとともに、次の関係を満たすようになる。
θγ＝（θα-θβ）／２
【００７１】
また、ここで図４に示したように座標を設定すると、観察者視点位置Ｐｏに向かう光の反射角度θβを用いて、光源の鏡像の位置Ｐｉ（ｘ，ｙ）の座標は、次の式で特定される。
【数１】
2015222706.tif 000003
なお、図４に示された座標において、ｙ軸は、観察者の視点位置Ｐｏから鉛直上方にとっている。また、ｘ軸は、天井９１と当該天井９１の奥にある壁９２の交線上にとっている。すなわち、主切断面への投影図において、反射シート２０によって形成される天井９１上に、ｘ軸が画定されている。そして、ｙ軸とｘ軸の交点に、原点（０，０）を定めている。また、式中の「Ｙ０」は、ｙ軸に沿った原点と光源位置Ｐｓとの距離[単位：ｃｍ]であり、「Ｗ」は、ｘ軸に沿った原点と光源位置Ｐｓとの距離[単位：ｃｍ]であり、「Ｌ」は、ｙ軸に沿った原点と目の位置Ｐｏとの距離[単位：ｃｍ]である。
【００７２】
以上のようにして、主切断面と平行な一つの面上に位置する光源４０の部位からの光が、当該面上に位置する反射シート２０の第１方向ｄ１に延びる線状領域内の各位置で反射される。結果として、光源４０の鏡像が、仮想曲線ｖｌ上に形成されることになる。
【００７３】
そして、反射シート２０の単位反射面２２は、第２方向ｄ２に線状に延びている。したがって、このような仮想曲線ｖｌ上への鏡像の生成は、第２方向ｄ２に沿った各位置に配置されている光源４０の部位に対して行われる。結果として、図１に示すように、一対の壁９２のそれぞれに設置されて第２方向ｄ２に延びる光源４０の各部位の鏡像が、疑似曲面ｖｐ上に形成される。疑似曲面ｖｐは、発光面として知覚され、錯視によってあたかも疑似曲面ｖｐの位置に天井があるかのように認識される。この疑似曲面ｖｐは、第２方向ｄ２に幅を持ったアーチ状の曲面となっている。そして、疑似曲面ｖｐは、光源４０から光を照射される反射シート２０よりも上方に、すなわち、反射シート２０によって形成される実際の天井よりも上方に位置する。したがって、観察者は、実際の天井よりも高い位置にアーチ型の天井があるかのように知覚するようになる。すなわち、ここで説明した照明システム１０によれば、奥行き感により室内を広く感じさせる視覚効果、並びに、立体的な構造の天井により優れた意匠性を付与する視覚効果をもたらすことが可能となる。
【００７４】
なお、本件発明者らは、実際に、図１に示された照明システムを作製して、その視覚効果を確認した。反射シートの第１方向に沿った幅を４００ｃｍとした。光源は、その長手方向が第２方向と平行に延びるように設置した。光源の第２方向に沿った長さを１５０ｃｍとした。図４におけるＹ０を２３ｃｍとした。図４におけるＬを７６ｃｍとした。反射シートの本体シートは、電離放射線硬化型樹脂を用いて単位要素をＰＥＴフィルム上に成型することにより、作製した。次に、アルミニウムを真空蒸着法で成膜することによって、本体シート上に反射層を形成した。その後、インクジェット印刷により、反射層の一部分に黒色顔料を含んでなる光吸収層を作成した。このようにして作製された反射シートは、図１および図２に示すものと同様の構成且つ同様の設置状態とした。そして、光源からの光を反射シートに照射したところ、アーチ型の疑似天井を確認することができた。また、この疑似天井が知覚された位置は、図４で設定した座標系にて推定した位置Ｐｉ（ｘ，ｙ）と一致していた。
【００７５】
さらに、図５及び図６は、本件発明者らが、図４における「Ｙ０」、「Ｗ」および「Ｌ」の組み合わせを変更して、入射角度θα、反射角度θβ及び反射面角度θγの範囲を調査した結果である。図５及び図６に示されたグラフでは、「Ｙ０」、「Ｗ」および「Ｌ」に関する条件を表１に示す典型的な範囲で変更しながら、図４のｘ軸の値が０以上Ｗ以下となる範囲内にて光源の鏡像を疑似曲面ｖｐ上に生成するために必要となる入射角度θα、反射角度θβ及び反射面角度θγの範囲を示している。すなわち、図５及び図６のグラフでは、反射シート２０の法線方向ｎｄに沿って観察者の目の位置Ｐｏの直上となる頭上位置Ｐｘから、反射シート２０の法線方向ｎｄに沿って第１光源４０ａの直上となる一側端位置Ｐｙ１まで、疑似曲面ｖｐ上に光源の鏡像を生成することができる各角度θα，θβ，θγの範囲を示している。
【００７６】
【表１】
2015222706.tif 000004
【００７７】
ここで、観察者位置Ｐｏの直上となる頭上位置Ｐｘから第１光源４０ａの直上となる一側端位置Ｐｙ１までの範囲に鏡像を形成することができれば、第２方向ｄ２に対して第１方向ｄ１における一側に視線を傾けた観察者が、観察され得る概ね全域に亘って、半アーチ型の疑似天井を確認するようになる。すなわち、照明システム１０による錯視効果を効果的に発揮することができる。さらに上述した実施の形態のように、光源４０及び反射シート２０が、反射シート２０の法線方向ｎｄを中心として対称的な構成となっている場合には、第１方向における一側に配置された第１光源４０ａからの光によって、第１方向における一側に位置する半分の領域に半アーチ型の疑似天井を形成することができ、第１方向における他側に配置された第２光源４０ｂからの光によって、第１方向における他側に位置する半分の領域に半アーチ型の疑似天井を形成することができる。すなわち、第１方向ｄ１における中央に立った観察者は、第１方向ｄ１における全域に亘って形成されたアーチ型の疑似天井を関することができる。
【００７８】
図５及び図６に示されているように、「Ｙ０」、「Ｗ」および「Ｌ」の値が表１に示された典型的な範囲内に設定されていれば、反射角度θβは、頭上位置Ｐｘに対応する０°から一側端位置Ｐｙ１に対応する概ね５０°前後までの範囲内で変化した。入射角度θαは、頭上位置Ｐｘに対応する約８０°前後から一側端位置Ｐｙ１に対応する約５０°までの範囲内で変化した。反射面角度θγは、頭上位置Ｐｘに対応する４０°前後から一側端位置Ｐｙ１に対応する０°までの範囲内で変化した。
【００７９】
すなわち、本件発明者らの調査結果からすれば、図７に示すように、少なくとも０°以上４０°以下の範囲を含む角度範囲内で、第１方向ｄ１における一側から他側へ向けて反射面角度θγが漸次大きくなるように変化する、又は、少なくとも０°以上４０°以下の範囲を含む角度範囲内で、第１方向ｄ１における一側から他側へ向けて反射面角度θγが小さくなるように変化する反射部２３，２３ａを、第１方向ｄ１に沿った各位置に配置された単位反射面２２が、有している場合、第１方向ｄ１における一側に配置された第１光源４０ａからの光によって、頭上位置Ｐｘから一側端位置Ｐｙ１までの範囲に光源の鏡像を疑似曲面ｖｐ上に生成することが可能となる。すなわち、単位反射面２２の反射面角度θγが、少なくとも０°以上４０°以下の範囲を含む角度範囲内で漸次変化する場合、第１方向ｄ１における一側領域において、照明システム１０の錯視効果が有効に発揮されるようになる。
【００８０】
また、頭上位置Ｐｘへの第１光源４０ａの鏡像は、反射面角度θγが４０°となる単位反射面２２上の位置に、入射角度θαが８０°となる方向（より好ましくは８５°となる方向）から入射することにより形成される。さらに、一側端位置Ｐｙ１への光源４０の鏡像は、反射面角度θγが０°となる単位反射面２２上の位置に、入射角度θαが５０°となる方向（より好ましくは６０°となる方向）から入射することにより形成される。そして、頭上位置Ｐｘから一側端位置Ｐｙ１までの範囲に亘って第１光源４０ａの鏡像を明瞭に生成する観点からは、図７に示すように、主切断面において、単位反射面２２の反射面角度θγが４０°となる位置を通過し且つ反射面シート２０の法線方向ｎｄに対して第１方向ｄ１における一側に８０°（より好ましくは８５°）傾斜した方向に延びる仮想直線ｖｌａが、反射面角度θγが４０°となる前記位置とは異なるその他の位置において反射面２１と交差しないことが好ましく、同様に、単位反射面２２の反射面角度θγが０°となる位置を通過し且つ反射面シート２０の法線方向ｎｄに対して第１方向ｄ１における一側に５０°（より好ましくは６０°）傾斜した方向に延びる仮想直線ｖｌｂが、反射面角度θγが０°となる前記位置とは異なるその他の位置において反射面２１と交差しないことが好ましい。この場合、第１光源４０ａからの直射光を反射シート２０の反射面２１が反射することによって、頭上位置Ｐｘから一側端位置Ｐｙ１までの範囲に亘って第１光源４０ａの鏡像を生成することが可能となる。したがって、照明システム１０により錯視効果を効果的に発揮することが可能となる。
【００８１】
なお、図示された例では、第１反射部２３ａの反射面角度θγは、第１方向ｄ１における一側から他側へ向けて漸次小さくなるように変化している。すなわち、反射面角度θγが０°となる位置が、反射面角度θγが４０°となる位置よりも単位反射面２２の先端部２２ａに近接して位置する。さらに、反射シート２０の法線方向ｎｄに対する仮想直線ｖｌｂの傾斜角度は、反射シート２０の法線方向ｎｄに対する仮想直線ｖｌａの傾斜角度よりも小さい。したがって、反射面角度θγが第１方向ｄ１における一側から他側へ向けて漸次小さくなるように変化する第１反射部２３ａに対しては、上述の仮想直線ｖｌｂに関する条件の方が、仮想直線ｖｌａに関する条件と比較して満たされ易くなる。したがって、主切断面において、単位反射面２２の反射面角度θγが４０°となる位置を通過し且つ反射面シート２０の法線方向ｎｄに対して第１方向ｄ１における一側に８０°（より好ましくは８５°）傾斜した方向に延びる仮想直線ｖｌａが、反射面角度θγが４０°となる前記位置とは異なるその他の位置において反射面２１と交差しないようになっていれば、仮想直線ｖｌｂに関する上述の条件も満たされ、結果として、照明システム１０による錯視効果が効果的に発揮され得るようになる。
【００８２】
また、図７から理解され得るように、隣り合う二つの単位反射面２２の間に接続面２４を設けることにより、隣り合う二つの単位反射面２２が互いから第１方向ｄ１に離間する。これにより、一つの単位反射面２２から延び出た仮想直線ｖｌａが、他の単位反射面２２に接触しにくくなり、結果として、仮想直線ｖｌａに関する上述の条件が満たされ易くなる。すなわち、接続面２４を設けることにより、照明システム１０による錯視効果がより効果的に発揮されるようになる。
【００８３】
加えて、上述した実施の形態のように、光源４０及び反射シート２０が、反射シート２０の法線方向ｎｄを中心として対称的な構成となっている場合では、第１方向における他側での錯視効果を有効に発揮すべく、入射角度θα及び反射面角度θγの対称性を考慮して、次の条件が満たされていることが好ましい。すなわち、第１方向ｄ１に沿った各位置に配置された単位反射面２２が、図７に示すように、少なくとも−４０°以上０°以下の範囲を含む角度範囲内で、第１方向ｄ１における一側から他側へ向けて反射面角度θγが漸次大きくなるように変化する、又は、少なくとも−４０°以上０°以下の範囲を含む角度範囲内で、第１方向ｄ１における一側から他側へ向けて反射面角度θγが小さくなるように変化する反射部２３，２３ｂを有することが、第１方向ｄ１における他側に配置された第２光源４０ｂからの光によって、頭上位置Ｐｘから第１方向ｄ１における他側となる他側端位置Ｐｙ２までの範囲に光源の鏡像を疑似曲面ｖｐ上に生成することが可能となる点において好ましい。言い換えると、単位反射面２２の反射面角度θγが、少なくとも−４０°以上０°以下の範囲を含む角度範囲内で漸次変化する場合、第１方向ｄ１における他側領域において、照明システム１０の錯視効果が有効に発揮されるようになる。
【００８４】
また、頭上位置Ｐｘへの第２光源４０ｂの鏡像は、反射面角度θγが−４０°となる単位反射面２２上の位置に、入射角度θαが−８０°となる方向（より好ましくは−８５°となる方向）から入射することにより形成される。さらに、他側端位置Ｐｙ２への光源４０ｂの鏡像は、反射面角度θγが０°となる単位反射面２２上の位置に、入射角度θαが−５０°となる方向（より好ましくは−６０°となる方向）から入射することにより形成される。そして、頭上位置Ｐｘから他側端位置Ｐｙ２までの範囲に亘って第２光源４０ｂの鏡像を明瞭に生成する観点からは、図７に示すように、主切断面において、単位反射面２２の反射面角度θγが−４０°となる位置を通過し且つ反射面シート２０の法線方向ｎｄに対して第１方向ｄ１における他側に８０°（より好ましくは８５°）傾斜した方向に延びる仮想直線ｖｌｃが、反射面角度θγが−４０°となる前記位置とは異なるその他の位置において反射面２１と交差しないことが好ましく、同様に、単位反射面２２の反射面角度θγが０°となる位置を通過し且つ反射面シート２０の法線方向ｎｄに対して第１方向ｄ１における他側に５０°（より好ましくは６０°）傾斜した方向に延びる仮想直線ｖｌｄが、反射面角度θγが０°となる前記位置とは異なるその他の位置において反射面２１と交差しないことが好ましい。この場合、第１方向ｄ１における他側に配置された第２光源４０ｂからの直射光を反射シート２０の反射面２１が反射することによって、頭上位置Ｐｘから第１方向にｄ１おける他側に位置する他側端位置Ｐｙ２までの範囲に亘って第２光源４０ｂの鏡像を生成することが可能となる。したがって、照明システム１０により錯視効果を効果的に発揮することが可能となる。
【００８５】
なお、図示された例では、第２反射部２３ｂの反射面角度θγは、第１方向ｄ１における一側から他側へ向けて漸次小さくなるように変化している。このような第２反射部２３ｂに対しては、上述の仮想直線ｖｌｄに関する条件の方が、仮想直線ｖｌｃに関する条件と比較して満たされ易くなる。したがって、主切断面において、単位反射面２２の反射面角度θγが−４０°となる位置を通過し且つ反射面シート２０の法線方向ｎｄに対して第１方向ｄ１における他側に８０°（より好ましくは８５°）傾斜した方向に延びる仮想直線ｖｌｃが、反射面角度θγが−４０°となる前記位置とは異なるその他の位置において反射面２１と交差しないようになっていれば、仮想直線ｖｌｄに関する上述の条件も満たされ、結果として、照明システム１０による錯視効果が効果的に発揮され得るようになる。
【００８６】
また、図７から理解され得るように、隣り合う二つの単位反射面２２の間に接続面２４を設けることにより、一つの単位反射面２２から延び出た仮想直線ｖｌｃが、他の単位反射面２２に接触しにくくなり、結果として、仮想直線ｖｌｃに関する上述の条件が満たされ易くなる。すなわち、接続面２４を設けることにより、照明システム１０による錯視効果がより効果的に発揮されるようになる。
【００８７】
以上のような本実施の形態によれば、照明システム１０は、第１方向ｄ１に配列され且つ各々が第１方向ｄ１と交差する第２方向ｄ２に延びている複数の単位反射面２２を含む反射面２１を有した反射シート２０と、その長手方向が第１方向ｄ１と非平行となるようにして配置された光源４０と、を有している。各単位反射面２２は、反射面角度θγが、第１方向ｄ１における一側から他側へ向けて漸次大きくなるように変化する、又は、第１方向ｄ１における一側から他側へ向けて漸次小さくなるように変化する反射部２３を含んでいる。このような照明システム１０によれば、反射シート２０よりも上方となる領域に位置する疑似曲面ｖｐ上に、光源４０の鏡像を形成することができる。このため、この照明システム１０によれば、奥行き感により室内を広く感じさせる視覚効果、並びに、立体的な構造の天井により優れた意匠性を付与する視覚効果をもたらすことが可能となる。
【００８８】
また、上述した実施の形態によれば、第１方向ｄ１に隣り合う二つの単位反射面２２の間に接続面２４が設けられている。そして、接続面２４での正反射率は、単位反射面２２での正反射率よりも低くなっている、或いは、接続面２４での吸収率は、単位反射面２２での吸収率よりも高くなっている。したがって、接続面２４への映り込みや、接続面２４が明るく視認されることを防止することができる。これにより、単位反射面２２での反射を利用した錯視効果をより効果的に発揮することが可能となる。
【００８９】
以上、本発明を図示する一実施の形態に基づいて説明したが、本発明は以上の実施形態に限定されるものではなく、この他にも種々の態様で実施可能である。以下、図面を参照しながら、変形の一例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。
【００９０】
上述した実施の形態において、本体シート３０と、反射層２５と、機能層２８と、を有する反射シート２０の層構成の一例を示した。しかしながら、反射シート２０の層構成は、上述した例に限られず、種々の変更が可能である。例えば、上述した実施の形態において、反射層２５が、本体シート３０の単位要素３５が設けられている側の全面を被覆するように形成されている例を示したが、図８に示すように、反射層２５が、本体シート３０の単位要素３５の外面３７上のみに設けられていてもよい。一例として図８に示された反射シート２０の反射層２５は、銀ペーストを単位要素３５上のみに印刷により塗布し、これを焼成することにより形成され得る。第１方向ｄ１に隣り合う二つの反射層２５間に位置する機能層２８は、インクジェット印刷により形成され得る。
【００９１】
他の例として、図９に示された反射シート２０は、互いに平行な一つの主面を有するシート状の本体シート３０と、本体シート３０の一方の面を被覆するように形成された機能層２８と、機能層２８上に間隔をあけて凸部３９として形成された反射層２５と、を有する。反射層２５は、反射性を有した材料を賦型することにより形成されている。凸部３９として形成された反射層２５の表面により、単位反射面２２が形成されている。
【００９２】
さらに、機能層２８を設けることなく、反射層２５の表面または本体シート３０の表面を凹凸面とすることにより、拡散機能を有した接続面２４を形成することもできる。
【００９３】
さらに、接続面２４をパターニングしてもよい。このパターニングによって、接続面２４が、図形、デザイン、色彩、絵、写真、キャラクターなどの絵柄（イメージ）や、文字、マーク、数字などの情報を表示するようにしてもよい。このような反射シート２０によれば、照明システム１０の意匠性を大幅に改善することが可能となる。
【００９４】
また、上述の実施の形態で説明した反射面２１は一例に過ぎず、例えば頭１０〜図１２に示すように、種々の変更が可能である。図１０に示された例において、本体シート３０は、本体部３３と、本体部３３の一方の表面上に設けられた単位要素３５と、を有している。単位要素３５は、第１方向ｄ１に隙間なく配列されている。したがって、単位要素３５の外面３７によって、本体シート３０の一方の側の面が形成され、当該面の全面を被覆するように反射層２５が形成されている。図１０の例において、単位反射面２２は、上述の実施の形態と同様に、反射面角度θγが正の値を取る第１反射部２３ａと、反射面角度θγが負の値を取る第２反射部２３ｂと、から形成されている。
【００９５】
第１反射部２３ａ及び第２反射部２３ｂは、上述の実施の形態と同様の角度条件を満たすことにより、上述の実施の形態と同様に錯視効果を有効に発揮することが可能となる。すなわち、照明システム１０による錯視効果を有効に発揮する観点から、第１反射部２３ａは、０°以上４０°以下を含む範囲内で反射面角度θγが漸次変化するように、形成されていることが好ましく、同様に、第２反射部２３ｂは、−４０°以上０°以下を含む範囲内で反射面角度θγが漸次変化するように、形成されていることが好ましい。
【００９６】
また、第１方向ｄ１における一側に位置する第１光源４０ａからの光を反射して頭上位置Ｐｘから一側端位置Ｐｙ１までの範囲に亘って第１光源４０ａの鏡像を明瞭に生成する観点からは、主切断面において、単位反射面２２の反射面角度θγが４０°となる位置を通過し且つ反射面シート２０の法線方向ｎｄに対して第１方向ｄ１における一側に８０°（より好ましくは８５°）傾斜した方向に延びる仮想直線ｖｌａが、反射面角度θγが４０°となる前記位置とは異なるその他の位置において反射面２１と交差しないことが好ましく、同様に、単位反射面２２の反射面角度θγが０°となる位置を通過し且つ反射面シート２０の法線方向ｎｄに対して第１方向ｄ１における一側に５０°（より好ましくは６０°）傾斜した方向に延びる仮想直線ｖｌｂが、反射面角度θγが０°となる前記位置とは異なるその他の位置において反射面２１と交差しないことが好ましい。さらに、第１方向ｄ１における他側に位置する第２光源４０ｂからの光を反射して頭上位置Ｐｘから他側端位置Ｐｙ２までの範囲に亘って第２光源４０ｂの鏡像を明瞭に生成する観点からは、主切断面において、単位反射面２２の反射面角度θγが−４０°となる位置を通過し且つ反射面シート２０の法線方向ｎｄに対して第１方向ｄ１における他側に８０°（より好ましくは８５°）傾斜した方向に延びる仮想直線ｖｌｃが、反射面角度θγが−４０°となる前記位置とは異なるその他の位置において反射面２１と交差しないことが好ましく、同様に、単位反射面２２の反射面角度θγが０°となる位置を通過し且つ反射面シート２０の法線方向ｎｄに対して第１方向ｄ１における他側に５０°（より好ましくは６０°）傾斜した方向に延びる仮想直線ｖｌｄが、反射面角度θγが０°となる前記位置とは異なるその他の位置において反射面２１と交差しないことが好ましい。
【００９７】
ところで、図１０に示された例では、第１反射部２３ａの反射面角度θγは、第１方向ｄ１における一側から他側へ向けて漸次大きくなるように変化している。このような第１反射部２３ａを含む単位反射面２２では、単位反射面２２の先端部２２ａの近傍にて、反射面角度θγが４０°となりやすい。したがって、この反射シート２０によれば、反射シート２０の法線方向ｎｄに対してより大きく傾斜した仮想直線ｖｌａが、反射面角度θγが４０°となる一点においてのみ反射面２１と交差して、上述の条件を満たしやすくなる。
【００９８】
同様に、図１０に示された例では、第２反射部２３ｂの反射面角度θγは、第１方向ｄ１における一側から他側へ向けて漸次大きくなるように変化している。このような第２反射部２３ｂを含む単位反射面２２では、単位反射面２２の先端部２２ａの近傍にて、反射面角度θγが−４０°となりやすい。したがって、この反射シート２０によれば、反射シート２０の法線方向ｎｄ対してより大きく傾斜した仮想直線ｖｌｃが、反射面角度θγが−４０°となる一点においてのみ反射面２１と交差して、上述の条件を満たしやすくなる。
【００９９】
なお、反射シート２０の法線方向ｎｄに対する仮想直線ｖｌｂの傾斜角度の大きさは、反射シート２０の法線方向ｎｄに対する仮想直線ｖｌａの傾斜角度の大きさよりも大幅に小さくなっている。したがって、上述の仮想直線ｖｌｂに関する条件は、仮想直線ｖｌａに関する条件よりも格段に満たされ易くなっている。同様に、反射シート２０の法線方向ｎｄに対する仮想直線ｖｌｄの傾斜角度の大きさは、反射シート２０の法線方向ｎｄに対する仮想直線ｖｌｃの傾斜角度の大きさよりも大幅に小さくなっている。したがって、上述の仮想直線ｖｌｄに関する条件は、仮想直線ｖｌｃに関する条件よりも格段に満たされ易くなっている。以上のことから、図１１に示された反射シート２０では、接続面２４を小さくしても或いは接続面２４を設けなくても、上述の仮想直線ｖｌａ，ｖｌｂ，ｖｌｃ１，ｖｌｄに関する条件が満たされ易くなる。
【０１００】
さらに、上述した実施の形態において、各単位反射面２２が、反射面角度θγが正の値を取る第１反射部２３ａと、反射面角度θγが負の値を取る第２反射部２３ｂと、を有する例を示したが、これに限られない。上述したように、第１方向ｄ１における一側に位置する第１光源４０ａからの光を反射して頭上位置Ｐｘから一側端位置Ｐｙ１までの範囲に亘って第１光源４０ａの鏡像を生成するのは、反射面角度θγが正の値を取る反射部２３ａである。その一方で、第１方向ｄ１における他側に位置する第２光源４０ｂからの光を反射して頭上位置Ｐｘから他側端位置Ｐｙ２までの範囲に亘って第２光源４０ｂの鏡像を生成するのは、反射面角度θγが負の値を取る反射部２３ｂである。したがって、反射面２１に含まれる複数の単位反射面２２のうちの第１光源４０ａの近傍に位置する単位反射面２２が、すなわち第１方向ｄ１における一側領域内の単位反射面２２が、図１１及び図１２に示すように、反射面角度θγが正の値を取る反射部２３のみを有するようにしてもよい。また、反射面２１に含まれる複数の単位反射面２２のうちの第２光源４０ｂの近傍に位置する単位反射面２２が、すなわち第１方向ｄ１における他側領域内の単位反射面２２が、反射面角度θγが負の値を取る反射部のみを有するようにしてもよい。
【０１０１】
図１１に示された例において、各単位反射面２２は、上述の実施の形態の第１反射部２３ａと同様に構成された反射部２３を有している。一方、図１２に示された例において、各単位反射面２２は、図１０に示された単位反射面２２の第１反射部２３ａと同様に構成された反射部２３を有している。また、図１１及び図１２に示された例において、隣り合う二つの単位反射面２２の間には、接続面２４が形成されている。接続面２４は、反射シート２０のシート面に対して傾斜している。図１１及び図１２に示された反射シート２０では、図８に示された反射シート２０と同様に、単位反射面２２が、本体シート３０の単位要素３５上に積層された反射層２５の表面によって形成され、接続面２４が、本体シート３０の隣り合う二つの単位要素３５の間となる部分上に積層された機能層２８の表面によって形成され得る。
【０１０２】
さらに、上述した実施の形態では、反射シート２０の反射面２１及び接続面２４が、光源４０からの光が入射する側の最表面、すなわち、光源４０からの光に対して反射シート２０の入射面を形成している例を示したが、この例に限られない。図１３に示された例において、本体シート３０の本体部３３側が、反射シート２０の入光面２０ａを形成し、光源４０からの光を受ける。つまり、本体シート３０は、反射層２５を覆う透明層３１をなしている。この本体シート３０からなる透明層３１は、光源４０からの光に対して反射シート２０の入射面をなす。そして、本体シート３０内に入射した光は、反射層２５の本体シート３０に対面する面によって形成された反射面２１によって、反射されるようになる。図１３に示された例において、反射面２１は、図１３に示された反射面２１と同一形状を有している。このような反射シート２０は、反射面２１が、室内に露出していないことから、反射面２１の劣化や反射面２１への埃等の堆積を防止することができる点において好ましい。なお、図１３に示された例においては、本体シート３０とは反対側から反射層２５を覆う保護層２９がさらに設けられている。この保護層２９によっても反射層２５の劣化が防止され、照明システム１０が期待された錯視効果を有効に発揮し続けることに寄与し得る。
【０１０３】
図１３に示された反射シート２０を用いた場合においても、「Ｙ０」、「Ｗ」および「Ｌ」の値が表１に示された典型的な範囲内に設定されていれば、反射角度θβは、頭上位置Ｐｘに対応する０°から一側端位置Ｐｙ１に対応する概ね５０°前後までの範囲内で変化し、入射角度θαは、頭上位置Ｐｘに対応する約８０°前後から一側端位置Ｐｙ１に対応する約５０°までの範囲内で変化する。すなわち、反射面２１が透明層３１で覆われた反射シート２０を用いた場合にも、上述の実施の形態と同様に、入射角度θα及び反射角度θβの間に、図５の関係が成り立つ。
【０１０４】
一方、光源４０からの光は、反射面２１に到達する前に、透明層３１へ入射した際に屈折する。また、反射面２１で反射された光は、透明層３１から出射する際にも屈折して、進行方向を変化させる。したがって、反射面２１が透明層３１で覆われている反射シート２０を用いた場合には、反射角度θβ及び反射面角度θγの間に、図６に示された関係は成り立たない。この例では、透明層３１の表面が平坦面であるとの仮定において、透明層３１の屈折率ｎｔを用いた次の関係が、入射角度θα、反射角度θβ、及び、反射面角度θγの間に成り立つようになる。
θγ＝（θαｔ-θβｔ）／２
θαｔ＝ｓｉｎ−１（ｓｉｎθα／ｎｔ）
θβｔ＝ｓｉｎ−１（ｓｉｎθβ／ｎｔ）
ここで、角度θαｔは、反射シート２０の透明層３１に入射角度θαで入射した光の透明層３１内での進行方向が、反射シート２０への法線方向に対してなす角度である。また、角度θβｔは、反射シート２０の透明層３１から角度θβの出射角度で出射する光の透明層３１内での進行方向が、反射シート２０への法線方向に対してなす角度である。
【０１０５】
図１４は、本件発明者らが、図４における「Ｙ０」、「Ｗ」および「Ｌ」の組み合わせを表１の条件で変更して、反射角度θβ及び反射面角度θγの範囲を調査した結果である。図５とともに図１４に示されたグラフでは、「Ｙ０」、「Ｗ」および「Ｌ」に関する条件を表１に示す典型的な範囲で変更しながら、図４のｘ軸の値が０以上Ｗ以下となる範囲内にて光源の鏡像を疑似曲面ｖｐ上に生成するために必要となる入射角度θα、反射面角度θγの範囲を示している。すなわち、図５及び図１４のグラフでは、平坦な表面を有する透明層３１によって反射面２１が覆われている反射シート２０を用いた場合に、当該反射シート２０の法線方向ｎｄに沿って観察者の目の位置Ｐｏの直上となる頭上位置Ｐｘから、反射シート２０の法線方向ｎｄに沿って第１光源４０ａの直上となる一側端位置Ｐｙ１まで、疑似曲面ｖｐ上に光源の鏡像を生成することができる各角度θα，θβ，θγの範囲を示している。なお、図１４に示された反射面角度θγの算出において、透明層３１の屈折率ｎｔを１．５と仮定している。この屈折率値１．５は、光学シートに用いられる一般的な樹脂材料の屈折率の値である。図１４に示すように、反射面角度θγは、頭上位置Ｐｘに対応する２０°前後から一側端位置Ｐｙ１に対応する０°までの範囲内で変化した。
【０１０６】
すなわち、本件発明者らの調査結果からすれば、図１５に示すように、少なくとも０°以上２０°以下の範囲を含む角度範囲内で、第１方向ｄ１における一側から他側へ向けて反射面角度θγが漸次大きくなるように変化する、又は、少なくとも０°以上２０°以下の範囲を含む角度範囲内で、第１方向ｄ１における一側から他側へ向けて反射面角度θγが小さくなるように変化する反射部２３，２３ａを、第１方向ｄ１に沿った各位置に配置された単位反射面２２が、有している場合、第１方向ｄ１における一側に配置された第１光源４０ａからの光によって、頭上位置Ｐｘから一側端位置Ｐｙ１までの範囲に光源の鏡像を疑似曲面ｖｐ上に生成することが可能となる。すなわち、単位反射面２２の反射面角度θγが、少なくとも０°以上２０°以下の範囲を含む角度範囲内で漸次変化する場合、第１方向ｄ１における一側領域において、照明システム１０の錯視効果が有効に発揮されるようになる。
【０１０７】
また、頭上位置Ｐｘへの第１光源４０ａの鏡像は、反射面角度θγが２０°となる単位反射面２２上の位置にて、入射角度θαが８０°となる方向から反射シート２０へ入射してきた光が反射されることにより、形成される。さらに、一側端位置Ｐｙ１への光源４０の鏡像は、反射面角度θγが０°となる単位反射面２２上の位置にて、入射角度θαが５０°となる方向から反射シート２０へ入射してきた光が反射されることにより、形成される。なお、透明層３１の表面が平坦であるとともに透明層３１の屈折率ｎｔを１．５と仮定すると、８０°の入射角度θαで反射シート２０へ入射してきた光の透明層３１内での進行方向が、反射シート２０の法線方向に対してなす角度は、４１°となる。また、同様の仮定において、５０°の入射角度θαで反射シート２０へ入射してきた光の透明層３１内での進行方向が、反射シート２０の法線方向に対してなす角度は、３１°となる。
【０１０８】
したがって、頭上位置Ｐｘから一側端位置Ｐｙ１までの範囲に亘って第１光源４０ａの鏡像を明瞭に生成する観点からは、図１５及び図１６に示すように、主切断面において、単位反射面２２の反射面角度θγが２０°となる位置を通過し且つ反射面シート２０の法線方向ｎｄに対して第１方向ｄ１における一側に４１°傾斜した方向に延びる仮想直線ｖｌｅが、反射面角度θγが２０°となる前記位置とは異なるその他の位置において反射面２１と交差しないことが好ましく、同様に、単位反射面２２の反射面角度θγが０°となる位置を通過し且つ反射面シート２０の法線方向ｎｄに対して第１方向ｄ１における一側に３１°傾斜した方向に延びる仮想直線ｖｌｆが、反射面角度θγが０°となる前記位置とは異なるその他の位置において反射面２１と交差しないことが好ましい。この場合、第１光源４０ａからの直射光を反射シート２０の反射面２１が反射することによって、頭上位置Ｐｘから一側端位置Ｐｙ１までの範囲に亘って第１光源４０ａの鏡像を生成することが可能となる。したがって、照明システム１０により錯視効果を効果的に発揮することが可能となる。
【０１０９】
加えて、図１５及び図１６に示すように、光源４０及び反射シート２０が、反射シート２０の法線方向ｎｄを中心として対称的な構成となっている場合では、第１方向ｄ１における他側での錯視効果を有効に発揮すべく、入射角度θα及び反射面角度θγの対称性を考慮して、次の条件が満たされていることが好ましい。すなわち、第１方向ｄ１に沿った各位置に配置された単位反射面２２が、図１５及び図１６に示すように、少なくとも−２０°以上０°以下の範囲を含む角度範囲内で、第１方向ｄ１における一側から他側へ向けて反射面角度θγが漸次大きくなるように変化する、又は、少なくとも−２０°以上０°以下の範囲を含む角度範囲内で、第１方向ｄ１における一側から他側へ向けて反射面角度θγが小さくなるように変化する反射部２３，２３ｂを有することが、第１方向ｄ１における他側に配置された第２光源４０ｂからの光によって、頭上位置Ｐｘから第１方向ｄ１における他側となる他側端位置Ｐｙ２までの範囲に光源の鏡像を疑似曲面ｖｐ上に生成することが可能となる点において好ましい。言い換えると、単位反射面２２の反射面角度θγが、少なくとも−２０°以上０°以下の範囲を含む角度範囲内で漸次変化する場合、第１方向ｄ１における他側領域において、照明システム１０の錯視効果が有効に発揮されるようになる。
【０１１０】
また、頭上位置Ｐｘへの第２光源４０ｂの鏡像は、反射面角度θγが−２０°となる単位反射面２２上の位置にて、入射角度θαが−８０°となる方向から反射シート２０へ入射してきた光が反射されることにより、形成される。さらに、他側端位置Ｐｙ２への光源４０ｂの鏡像は、反射面角度θγが０°となる単位反射面２２上の位置にて、入射角度θαが−５０°となる方向から反射シート２０へ入射してきた光が反射されることにより、形成される。そして、頭上位置Ｐｘから他側端位置Ｐｙ２までの範囲に亘って第２光源４０ｂの鏡像を明瞭に生成する観点からは、図１５及び図１６に示すように、主切断面において、単位反射面２２の反射面角度θγが−２０°となる位置を通過し且つ反射面シート２０の法線方向ｎｄに対して第１方向ｄ１における他側に４１°傾斜した方向に延びる仮想直線ｖｌｇが、反射面角度θγが−２０°となる前記位置とは異なるその他の位置において反射面２１と交差しないことが好ましく、同様に、単位反射面２２の反射面角度θγが０°となる位置を通過し且つ反射面シート２０の法線方向ｎｄに対して第１方向ｄ１における他側に３１°傾斜した方向に延びる仮想直線ｖｌｈが、反射面角度θγが０°となる前記位置とは異なるその他の位置において反射面２１と交差しないことが好ましい。この場合、第１方向ｄ１における他側に配置された第２光源４０ｂからの直射光を反射シート２０の反射面２１が反射することによって、頭上位置Ｐｘから第１方向にｄ１おける他側に位置する他側端位置Ｐｙ２までの範囲に亘って第２光源４０ｂの鏡像を生成することが可能となる。したがって、照明システム１０により錯視効果を効果的に発揮することが可能となる。
【０１１１】
なお、図１５に示された例において、反射面角度θγは、第１方向ｄ１における一側から他側へ向けて漸次大きくなるように変化している。しかしながら、図１５に示された例に限られず、反射面２１が透明層３１で覆われた反射シート２０を用いた場合においても、図１６に示すように、反射面角度θγは、第１方向ｄ１における一側から他側へ向けて漸次小さくなるように変化させてもよい。図１６に示された例においても、図１５に示された例について説明した上述の条件が満たされる場合、光源４０からの直射光を反射シート２０の反射面２１が反射することによって、錯視効果を効果的に発揮することが可能となる。
【０１１２】
図１５及び図１６に示された例において、光源４０からの光の進行方向が、反射シート２０の法線方向に対してなす角度は、本体シート３０からなる透明層３１に入射することにより、小さくなる。したがって、図１５及び図１６に示された例では、反射面角度θγの角度範囲に関する条件、並びに、仮想直線ｖｌｅ，ｖｌｆ，ｖｌｇ，ｖｌｈに関する条件が、満たされ易くなる。したがって、図１５及び図１６に示された照明システム１０によれば、錯視効果を効果的に発揮することが可能となる。
【０１１３】
さらに他の変形例についても説明すると、上述した実施の形態において、対向配置された一対の光源４０ａ，４０ｂが設けられ、各光源４０ａ，４０ｂが、単位要素３５の配列方向である第１方向ｄ１と交差する第２方向ｄ２に一様な形状を有しながら延びる例を示したが、この例に限られない。例えば、図１７に示すように、光源４０ａ，４０ｂは、第２方向ｄ２に沿って間隔をあけて配置されていてもよい。この例によれば、図１７に示すように、光源４０ａ，４０ｂの鏡像が位置するようになる疑似曲面ｖｐも、第２方向ｄ２に沿って間隔をあけて、知覚されるようになる。また、光源４０ａ，４０ｂが、長手方向ｄｌに並べられた複数の発光体を有する場合には、光源４０ａ，４０ｂの長手方向ｄｌに沿った発光体の配列間隔を一定ではないようにすることにより、第２方向ｄ２に沿って一様でない疑似曲面ｖｐが知覚されるようになる。
【０１１４】
さらに、図１８に示すように、反射シート２０が、第１方向ｄ１に沿って間隔をあけて且つ第２方向ｄ２に延びるストライプ状の遮蔽層２７を、さらに有するようにしてもよい。遮蔽層２７は、光吸収機能を有する層であり、遮蔽層２７が被覆している反射面２１上の領域を遮蔽する。図１８に示された反射シート２０の変形例は、遮蔽層３７を設けた点を除けば、上述した実施の形態の反射シートと同様に構成されている。図１８に示された反射シート２０を用いた場合、図１９に示すように、光源４０ａ，４０ｂの鏡像が位置するようになる疑似曲面ｖｐは、第１方向ｄ１に沿って間隔をあけて、知覚されるようになる。さらに、図１８に示された反射シート２０を、第２方向ｄ２に沿って間隔をあけて配置された光源４０ａ，４０ｂとの組み合わせで使用した場合、図２０に示すように、光源４０ａ，４０ｂの鏡像が位置するようになる疑似曲面ｖｐは、第１方向ｄ１及び第２方向ｄ２の両方に間隔をあけて、知覚されるようになる。
【０１１５】
さらに、上述した実施の形態において、照明システム１０の反射シート２０を天井として用いた例を示したがこれに限られない。例えば、反射シート２０を壁９２や床９３として用い、壁９２や床９３に奥行きを持たせる視覚効果を創出するようにしてもよい。また、照明システム１０を、屋内ではなく、屋外で用いることも可能である。
【０１１６】
なお、以上において上述した実施の形態に対するいくつかの変形例を説明してきたが、当然に、複数の変形例を適宜組み合わせて適用することも可能である。
【符号の説明】
【０１１７】
１０   照明システム
２０   反射シート
２０ａ 面
２１   反射面
２２   単位反射面
２２ａ 先端部
２２ｂ 基端部
２３   反射部
２３ａ 第１反射部
２３ｂ 第２反射部
２４   接続面
２５   反射層
２７   遮蔽層
２８   機能層
２９   保護層
３０   本体シート
３１   透明層
３３   本体部
３５   単位要素
３７   外面
３７ａ 先端部
３７ｂ 基端部
３８ａ 第１外面部
３８ｂ 第２外面部
３９   凸部
４０   光源
４０ａ 第１光源
４０ｂ 第２光源
９１   天井
９２   壁
９３   床
【図１】
2015222706.tif 000005
【図２】
2015222706.tif 000006
【図３】
2015222706.tif 000007
【図４】
2015222706.tif 000008
【図５】
2015222706.tif 000009
【図６】
2015222706.tif 000010
【図７】
2015222706.tif 000011
【図８】
2015222706.tif 000012
【図９】
2015222706.tif 000013
【図１０】
2015222706.tif 000014
【図１１】
2015222706.tif 000015
【図１２】
2015222706.tif 000016
【図１３】
2015222706.tif 000017
【図１４】
2015222706.tif 000018
【図１５】
2015222706.tif 000019
【図１６】
2015222706.tif 000020
【図１７】
2015222706.tif 000021
【図１８】
2015222706.tif 000022
【図１９】
2015222706.tif 000023
【図２０】
2015222706.tif 000024